(57)【要約】【課題】撓み、変形を抑制して、耐久性を向上させることのできる折り畳みコンテナを提供する。【解決手段】折り畳み可能な四角箱状のコンテナ１０は、四角板状の底壁１１と、前記底壁１１の周縁に立設される対向する各一対の第１側壁（短側壁）１２及び第２側壁（長側壁）１３を備えており、前記底壁１１上に前記一対の第１側壁１２を重ねるとともに、前記一対の第１側壁１２上に前記一対の第２側壁１３を重ねることにより内方へ折り畳み可能に構成されている。前記一対の第１側壁１２のそれぞれには、折り畳み時に前記底壁１１に当接する第１当接部（上部平面３０ｃ）が設けられるとともに、前記一対の第２側壁１３のそれぞれには、折り畳み時に前記第１側壁１２に当接する第２当接部（上縁フレーム６０の内面６０ａ）が設けられ、前記第２当接部は、折り畳み時に前記第１当接部の上方に位置している。【選択図】図１０
2015034028.tif 000002
【特許請求の範囲】
【請求項１】
四角板状の底壁と、前記底壁の周縁に立設される対向する各一対の第１側壁及び第２側壁を備える四角箱状のコンテナであって、前記底壁上に前記一対の第１側壁を重ねるとともに、前記一対の第１側壁上に前記一対の第２側壁を重ねることにより内方へ折り畳み可能な折り畳みコンテナにおいて、
前記一対の第１側壁のそれぞれには、折り畳み時に前記底壁に当接する第１当接部が設けられるとともに、前記一対の第２側壁のそれぞれには、折り畳み時に前記第１側壁に当接する第２当接部が設けられ、
前記第２当接部は、折り畳み時に前記第１当接部の上方に位置することを特徴とする折り畳みコンテナ。
【請求項２】
前記第１側壁は、中空板材からなる第１側壁部と、前記第１側壁部に取り付けられる第１係合部材とからなり、
前記第２側壁は、中空板材からなる第２側壁部と、前記第２側壁部に取り付けられるとともに組み立て状態において前記第１係合部材と係合して前記第１側壁と前記第２側壁とを固定する第２係合部材とからなり、
前記第１係合部材に前記第１当接部が設けられるともに、前記第２係合部材に前記第２当接部が設けられることを特徴とする請求項１に記載の折り畳みコンテナ。
【請求項３】
前記第１係合部材には、前記第１側壁の幅方向に延びる前記第１当接部が設けられるともに、前記第２係合部材には、前記第２側壁の幅方向に延びる前記第２当接部が設けられ、
前記第１当接部及び前記第２当接部は、折り畳み時に、上面視で井桁状に交差することを特徴とする請求項２に記載の折り畳みコンテナ。
【発明の詳細な説明】
【技術分野】
【０００１】
本発明は、四角箱状の折り畳みコンテナに関する。
【背景技術】
【０００２】
近年、取扱いの容易性等の観点から、合成樹脂製のコンテナが利用されている。特許文献１には、四角板状の底板と、一対の長側板及び一対の短側板を備えた折り畳みコンテナが開示されている。各側板は、底板の周縁に沿って延設されたヒンジ部の位置で内方に折り畳み可能に構成されている。そして、一対の長側板及び短側板のそれぞれの左右側辺上縁には、各側板を係合するための係合部材としてコーナ片が取り付けられている。
【先行技術文献】
【特許文献】
【０００３】
【特許文献１】特開２０００−１１８５２９号公報
【発明の概要】
【発明が解決しようとする課題】
【０００４】
これらの係合部材は、側板を構成する板材を断面視したときに、板材の表面から突出した状態となっている。したがって、各側板を内方に折り畳むと、各側板に取り付けられた係合部材が隣り合う板材に当接し、係合部材が設けられていない部分においては隣り合う板材との間に係合部材の壁厚に基づく隙間が生じることになる。
【０００５】
例えば、特許文献１に記載の折り畳みコンテナでは、先に一対の長側板が底板上に折り畳まれ、一対の長側板上に一対の短側板が折り畳まれている。長側板が折り畳まれた状態では、その左右側辺に取り付けられた長側板用コーナ片が底板に当接し、長側板用コーナ片が取り付けられていない部分では、底板との間に長側板用コーナ片の壁厚に相当する隙間が生じた状態となっている。また、長側板の上に折り畳まれた短側板は、その左右側辺に取り付けられた短側板用コーナ片が長側板に当接し、短側板用コーナ片が取り付けられていない部分では、長側板との間に短側板用コーナ片の壁厚に相当する隙間が生じた状態となっている。
【０００６】
このような隙間が形成された状態では、上側に位置する短側板に対して荷重が加えられると、下側の長側板との間で隙間が形成されている部分では、短側板が長側板方向に撓みやすくなる。また、下側の長側板には、上側に位置する短側板に対して加えられた荷重が短側板側のコーナ片を介して長側板に伝わることになるが、長側板と底板との間で隙間が形成されている部分では、長側板が底板方向に撓みやすくなる。その結果、各側板の変形が生じやすくなり、コンテナ組み立て時に各側板の立設作業が困難になったり、コンテナの耐久性が低下したりするといった問題があった。
【０００７】
本発明は、こうした従来の実情に鑑みてなされたものであり、その目的は、折り畳みコンテナの撓み、変形を抑制して、耐久性を向上させることである。
【課題を解決するための手段】
【０００８】
上記の目的を達成するために請求項１に記載の折り畳みコンテナは、四角板状の底壁と、前記底壁の周縁に立設される対向する各一対の第１側壁及び第２側壁を備える四角箱状のコンテナであって、前記底壁上に前記一対の第１側壁を重ねるとともに、前記一対の第１側壁上に前記一対の第２側壁を重ねることにより内方へ折り畳み可能な折り畳みコンテナにおいて、前記一対の第１側壁のそれぞれには、折り畳み時に前記底壁に当接する第１当接部が設けられるとともに、前記一対の第２側壁のそれぞれには、折り畳み時に前記第１側壁に当接する第２当接部が設けられ、前記第２当接部は、折り畳み時に前記第１当接部の上方に位置している。
【０００９】
折り畳み時に上側に位置する第２側壁に荷重が加えられた場合、その荷重は第２当接部を介して第１側壁に伝えられるとともに、第１当接部を介して底壁に伝えられる。上記構成によれば、折り畳み時に第１当接部と第２当接部とは上下方向に重なるように位置していることから、第１当接部及び第２当接部の位置において、底壁と第１側壁、及び第１側壁と第２側壁との間には隙間が形成されていない。したがって、上方からの荷重がかかった場合に、この部分では、第１側壁及び第２側壁が撓むことなく形状保持される。これによって、第１側壁及び第２側壁の撓み、変形を抑制することができる。
【００１０】
また、各当接部は、一対の各側壁のそれぞれに設けられることから、上下方向に隙間なく当接される箇所が複数個所形成されることになる。これにより、上方からの荷重を分散させることができ、各側壁の撓み、変形のさらなる抑制に繋がる。
【００１１】
上記折り畳みコンテナにおいて、前記第１側壁は、中空板材からなる第１側壁部と、前記第１側壁部に取り付けられる第１係合部材とからなり、前記第２側壁は、中空板材からなる第２側壁部と、前記第２側壁部に取り付けられるとともに組み立て状態において前記第１係合部材と係合して前記第１側壁と前記第２側壁とを固定する第２係合部材とからなり、前記第１係合部材に前記第１当接部が設けられるともに、前記第２係合部材に前記第２当接部が設けられることが好ましい。
【００１２】
各側壁が中空板材で構成されている場合、コンテナを折り畳んだ状態で上方から荷重が加えられると、中空板材の中空部分が押し潰されて、中空板材の変形が生じやすくなる。この点、第１当接部と第２当接部とが上下方向に重なるように位置していると、中空板材の中空部分の潰れを抑制することができる。
【００１３】
上記折り畳みコンテナにおいて、前記第１係合部材には、前記第１側壁の幅方向に延びる前記第１当接部が設けられるともに、前記第２係合部材には、前記第２側壁の幅方向に延びる前記第２当接部が設けられ、前記第１当接部及び前記第２当接部は、折り畳み時に、上面視で井桁状に交差することが好ましい。
【００１４】
第１当接部及び第２当接部は、上面視で井桁状に交差していることから、上方からの荷重を均等に受けることができ、加えられた荷重を複数個所に均等に分散させることができる。
【発明の効果】
【００１５】
本発明の折り畳みコンテナによれば、部材の撓み、変形を抑制して、耐久性を向上させることができる。
【図面の簡単な説明】
【００１６】
【図１】一方の第２側壁（長側壁）を立設させた状態の折り畳みコンテナの斜視図。
【図２】組み立て状態の折り畳みコンテナの斜視図。
【図３】本体部の斜視図。
【図４】（ａ）は第１側壁（短側壁）の切込部周辺の断面図。（ｂ）は第２側壁（長側壁）の切込部周辺の断面図。
【図５】（ａ）、（ｂ）は第２係合部材（長側係合部材）の斜視図。
【図６】（ａ）、（ｂ）は第１係合部材（短側係合部材）の斜視図。
【図７】（ａ）、（ｂ）は第２係合部材（上縁フレーム）の斜視図。
【図８】（ａ）、（ｂ）は嵌合部材の斜視図。
【図９】折り畳みコンテナの折り畳み時の正面図。
【図１０】図９のＡ−Ａ断面図。
【発明を実施するための形態】
【００１７】
以下、本発明の折り畳みコンテナを図面に基づいて説明する。
図２に示すように、上方に開口する有底箱状の折り畳みコンテナ１０（以下、単にコンテナ１０と記載する。）は、長四角板状の底壁１１と、底壁１１の対向する短側縁に沿って立設された一対の短側壁１２（第１側壁）と、底壁１１の対向する長側縁に沿って立設された一対の長側壁１３（第２側壁）とを備えている。このコンテナ１０は、図１に示すように、一対の短側壁１２を底壁１１上に重ねて折り畳んだ後、一対の長側壁１３を短側壁１２上に重ねて折り畳むことによって、折り畳み可能に構成されている。
【００１８】
図３に示すように、コンテナ１０は、中空構造を有する合成樹脂製の中空板材からなる本体部１０ａを備えている。本体部１０ａは、底壁１１を構成する底壁部１１ａと、底壁部１１ａの短側縁に沿って立設され、短側壁１２を構成する短側壁部１２ａ（第１側壁部）と、底壁部１１ａの長側縁に沿って立設され、長側壁１３を構成する長側壁部１３ａ（第２側壁部）とを備えている。詳述すると、底壁部１１ａとなる長四角部分の四側縁に短側壁部１２ａとなる部分及び長側壁部１３ａとなる部分をそれぞれ一体にした十字状の中空板材を、底壁部１１ａとなる部分の四側縁に沿って箱状に屈曲させることによって、底壁部１１ａ、短側壁部１２ａ、及び長側壁部１３ａがそれぞれ形成されている。また、図４に示すように、上記中空板材は、内部に中空構造を形成するコア層２１と、コア層２１の両面に接合されるスキン層２２，２３とから構成されるものである。
【００１９】
図１及び図２に示すように、本体部１０ａに対して、各種部材が取り付けられることによって、コンテナ１０が構成されている。具体的には、本体部１０ａの短側壁部１２ａの上部に短側係合部材３０（第１係合部材）が取り付けられて、短側壁部１２ａと短側係合部材３０とによってコンテナ１０の短側壁１２が構成されている。また、本体部１０ａの長側壁部１３ａの両側部及び上部に長側部材４０（第２係合部材）が取り付けられて、長側壁部１３ａと長側部材４０とによってコンテナ１０の長側壁１３が構成されている。長側部材４０は、長側壁部１３ａの両端部に取り付けられる一対の長側係合部材５０と、長側壁部１３ａの上部に取り付けられる上縁フレーム６０とで構成されている。また、本体部１０ａの底壁部１１ａの隅部に嵌合部材７０が取り付けられて、底壁部１１ａと嵌合部材７０とによってコンテナ１０の底壁１１が構成されている。これらの各部材３０．５０．６０．７０は、本体部１０ａとは別に、射出成形や押出し成形等により成形される合成樹脂製の部材である。
【００２０】
次に、短側壁１２について記載する。
図３に示すように、短側壁１２を構成する短側壁部１２ａは、横長四角形状に形成されるとともに、その上部両側部に対して、短側係合部材３０を取り付けるための挿入突部１２１がそれぞれ設けられている。
【００２１】
図６に示すように、短側壁１２を構成する短側係合部材（第１係合部材）３０は、正面視略四角形状の板状部材である。図６（ｂ）に示すように、短側係合部材３０の下端面の両側部には、短側壁部１２ａの挿入突部１２１を挿入するための挿入凹部３１が設けられている。
【００２２】
図６（ａ）に示すように、短側係合部材３０においてコンテナ１０の組立時に外側に位置する外面３０ｂの両側部には、短側係合部材３０の側縁に沿って上下方向に延びる係合凹部３２がそれぞれ設けられている。係合凹部３２内には、短側係合部材３０の厚さ方向に突出する３つの係合突部３３が上下に並設されている。
【００２３】
また、短側係合部材３０の外面３０ｂの上部には、左右方向に延びる収容凹部３４が設けられている。短側係合部材３０の外面３０ｂにおいて、収容凹部３４と係合凹部３２とは、間に側縁リブ３５を挟んで区画形成されている。側縁リブ３５における係合突部３３よりも上方に位置する部位には、側縁リブ３５を貫通する挿通孔３５ａが形成されている。
【００２４】
収容凹部３４内にはロックバー３６が収容されている。ロックバー３６は、収容凹部３４内を上下方向にスライド移動可能に配置される四角板状の部材である。ロックバー３６の両側端面には、側縁リブ３５の挿通孔３５ａに挿通されて係合凹部３２に突出する係合突部３６ａが設けられている。また、ロックバー３６の下端面には、収容凹部３４内において、ロックバー３６を上方へ付勢する一対の付勢板３６ｂが一体形成されている。
【００２５】
短側係合部材３０の上縁において側縁リブ３５に挟まれた位置には、収容凹部３４の上縁を構成する上縁リブ３８が短側係合部材３０の幅方向に亘って同一高さで設けられている。また、短側係合部材３０の下部には、係合凹部３２の下端部から下方に向かうとともに短側係合部材３０の下縁に沿って幅方向に延びる下縁リブ３９が幅方向に亘って同一高さで設けられている。短側係合部材３０の外面３０ｂでは、側縁リブ３５は、上縁リブ３８より高く形成されている。また、その他の部分は、上縁リブ３８の高さと同一か又はその高さより低くなるように形成されている。
【００２６】
図６に示すように、側縁リブ３５は、上縁リブ３８の両端部から上昇傾斜する傾斜面に連なって形成されるとともに、下縁リブ３９の両端部から上昇傾斜する傾斜面に連なって形成されている。側縁リブ３５は、短側係合部材３０の上端から、係合凹部３２の下端に至るまでの部分で同一高さの正面視Ｌ字状の突条として形成されている。側縁リブ３５は、短側係合部材３０の上端から、係合凹部３２の下端に至るまでの部分で同一高さの突条として形成されている。これにより、側縁リブ３５は、短側係合部材３０の外面３０ｂにおいて、最も高さの高い突出部分となっており、短側壁１２全体のなかで、側縁リブ３５での壁厚が最も厚くなっている。
【００２７】
図６に示すように、短側係合部材３０の中央部において下縁リブ３９の上部には、コンテナ１０を把持する際に手を挿入するための把持孔３７が貫通形成されている。
図６（ｂ）に示すように、短側係合部材３０の内面３０ａにおいて把持孔３７より上部は、短側係合部材３０の幅方向に亘って凹凸のない上部平面３０ｃとして形成されている。また、短側係合部材３０の内面３０ａは、その全体に亘って、上部平面３０ｃより突出する部分が存在しないように形成されている。つまり、上部平面３０ｃ以外の部分は、上部平面３０ｃと同一の高さか低くなるように形成されている。
【００２８】
図１及び図４（ａ）に示すように、短側壁１２における短側壁部１２ａの下部には、短側壁部１２ａの下辺に沿って幅方向に延びる切込部１２ｂが設けられている。切込部１２ｂは、底壁部１１ａを構成する内面側のスキン層２３から、所定高さだけ上方位置に形成されている。切込部１２ｂは、短側壁部１２ａの外面側から形成され、短側壁部１２ａの内面側に位置するスキン層２３を残しつつ、短側壁部１２ａの外面側に位置するスキン層２２及びコア層２１を切断してなるハーフカットである。短側壁１２は、切込部１２ｂにおいて残存する内側のスキン層２３部分を屈曲させて、切込部１２ｂを開いた状態とすることによって内方へ折り畳むことが可能になっている。つまり、切込部１２ｂにおいて残存する内側のスキン層２３部分をヒンジとして機能させている。
【００２９】
次に、長側壁１３について記載する。
図３に示すように、長側壁１３を構成する長側壁部１３ａは、横長四角形状に形成されている。図１に示すように、長側壁１３を構成する長側部材（第２係合部材）４０は、長側壁部１３ａの左右の両側縁に取り付けられる一対の長側係合部材５０と、長側壁部１３ａの上縁に取り付けられる上縁フレーム６０とから構成されている。長側壁部１３ａの横長四角形状の上部中央部には、上縁フレーム６０を取り付けるための切欠１３１が設けられている。
【００３０】
図５に示すように、長側係合部材５０は、全体として上下方向に延びる断面Ｌ字状の板状部材であって、長側壁部１３ａに固定される固定壁部５１と、固定壁部５１の側縁から内方（短側壁１２側）へ突出する係合壁部５２とを備えている。
【００３１】
固定壁部５１の内側端面には、長側壁部１３ａの側縁を挿入するための挿入凹部５３が設けられている。固定壁部５１の下端面には、所定間隔をおいて一対の回動軸部５４が設けられている。回動軸部５４の両側部には側方へ突出する軸体５４ａが形成されている。
【００３２】
係合壁部５２は、組立状態において、短側壁１２を構成する短側係合部材３０と係合する部位であって、固定壁部５１の内面５１ａの外側縁に沿って上下方向に延びるように成形されている。係合壁部５２には、係合壁部５２を貫通する３つの係合孔５５が上下に並設されるとともに、係合壁部５２の側端面には上方に凹む係合溝５６が凹設されている。また、係合溝５６の下部には、係合壁部５２から内方に向けて開口する開口部５６ａが形成されている。
【００３３】
図１及び図７に示すように、上縁フレーム６０は、その下面側に挿入凹部６１を有する断面Ｕ字状の棒状部材であって、上記挿入凹部６１内に長側壁部１３ａの切欠１３１を含む上縁を挿入させた状態として長側壁部１３ａに固定されている。図７（ｂ）に示すように、上縁フレーム６０の内面６０ａは、凹凸形状のない平面として形成されている。
【００３４】
長側部材４０は、内面において面一となるように取り付けられている。つまり、長側係合部材５０の固定壁部５１の内面５１ａと、上縁フレーム６０の内面６０ａとは、長側壁部１３ａに取り付けた時に面一となるように形成されている。
【００３５】
図１及び図４（ｂ）に示すように、長側壁１３における長側壁部１３ａの下部には、長側壁部１３ａの下辺に沿って幅方向に延びる切込部１３ｂが設けられている。そして、長側壁部１３ａは、切込部１３ｂにおいて残存する内側のスキン層２３部分を屈曲させて切込部１３ｂを開いた状態とすることによって内方へ折り畳むことが可能になっている。また、長側壁１３の切込部１３ｂは、短側壁１２の切込部１２ｂよりも高い位置に形成されている。これにより、図４（ｂ）に示すように、長側壁１３を折り畳んだ際に、底壁１１と長側壁１３との間に短側壁１２を収容可能な空間Ｓ１が確保される。
【００３６】
次に、底壁１１について記載する。
図３に示すように、底壁１１を構成する底壁部１１ａは、横長四角形状に形成されている。図８に示すように、底壁１１を構成する嵌合部材７０は、略三角板状の下壁部７０ａと、下壁部７０ａの短側壁１２側の側縁から立設される縦壁部７０ｂと、下壁部７０ａの長側壁１３側の側縁から立設される横壁部７０ｃとを備えている。下壁部７０ａの内側の下面側には、底壁部１１ａの隅部を取り付けるための取り付け凹部７１が設けられている。
【００３７】
横壁部７０ｃの上端面は水平面状に形成されて、長側係合部材５０の下面が載置される載置面となる。そして、横壁部７０ｃの上端面には、所定間隔をおいて一対の軸受け部７２が略四角孔状に凹設されている。軸受け部７２は、長側係合部材５０の回動軸部５４が軸支される部位であり、回動軸部５４と共にヒンジを形成する。
【００３８】
図８（ｂ）に示すように、軸受け部７２の側端面の内方位置には、内側から外側へ向かって下降傾斜する傾斜面を有するとともに、下面側が平らに形成される略三角柱状の係止突部７３が突設されている。そして、回動軸部５４は、上方から軸受け部７２内に挿入されて、軸受け部７２における係止突部７３の下面と軸受け部７２の底面との間の空間Ｓ２内に軸体５４ａが収容されることによって、軸受け部７２に対して回動可能に軸支される。
【００３９】
次に、本実施形態のコンテナ１０の折り畳み方法について記載する。
図２に示すように、組み立て状態にあるコンテナ１０は、底壁１１の嵌合部材７０の横壁部７０ｃ上に長側係合部材５０が載置されることによって長側壁１３が立設状態となっているとともに、嵌合部材７０の縦壁部７０ｂ上に沿って短側壁１２が立設状態となっている。このとき、長側係合部材５０の回動軸部５４の軸体５４ａは嵌合部材７０の軸受け部７２に軸支されている。また、短側係合部材３０に収容されたロックバー３６の係合突部３６ａが、長側係合部材５０の係合壁部５２の係合溝５６に係合されるとともに、短側
係合部材３０の係合突部３３が、長側係合部材５０の係合孔５５に係合されることにより、短側壁１２と長側壁１３とが互いに連結された状態となって、内方への回動が阻止されている。
【００４０】
図２及び図６に示すように、組み立て状態にあるコンテナ１０を折り畳むには、まず、短側係合部材３０のロックバー３６を下方へスライド移動させるように操作することにより、ロックバー３６の係合突部３６ａと、係合壁部５２の係合溝５６との係合状態を解除する。係合突部３６ａと係合溝５６との係合状態を解除すると同時に、短側壁１２と長側壁１３との連結状態が解除される。
【００４１】
連結状態が解除された短側壁１２を、切込部１２ｂにおいて残存する内側のスキン層２３部分を回動軸として下方へ９０度回動させて底壁１１上に折り畳む。対向する一対の短側壁１２をともに底壁１１上に折り畳んだ後、長側壁１３を、短側壁１２上に折り畳む。このとき、長側壁１３の中央部においては、切込部１３ｂにおいて残存する内側のスキン層２３部分を回動軸として長側壁１３が回動し、長側壁１３の両側部においては、長側係合部材５０の回動軸部５４における軸体５４ａの中心を回動軸として、嵌合部材７０に対して長側係合部材５０が回動する。そして、長側壁１３が下方へ折り畳まれたとき、長側係合部材５０の固定壁部５１の内面５１ａから突出する係合壁部５２は、底壁１１の両端縁外側に収容されて、固定壁部５１の内面５１ａが短側係合部材３０の外面３０ｂに当接する。
【００４２】
図１及び図９に示すように、短側壁１２及び長側壁１３が折り畳まれた状態で、短側係合部材３０の上方には、長側係合部材５０の一部が重なるとともに、上縁フレーム６０が重なった状態で折り畳み状態となっている。一対の短側壁１２はその上縁が離間した状態で底壁１１上に折り畳まれるとともに、一対の長側壁１３はその上縁が離間した状態で短側壁１２上に折り畳まれる。
【００４３】
次に本実施形態のコンテナ１０の作用について記載する。
図９に示すように、コンテナ１０は、保管時等の非使用時においては上記折り畳み状態とされる。このとき、各側壁１２、１３は、それぞれの上縁が離間した状態で折り畳まれている。そのため、各側壁１２、１３の上縁は互いに井桁状に交差している。
【００４４】
短側壁部１２ａには、短側係合部材３０が取り付けられるとともに、その内面３０ａでは、幅方向に延びる上部平面３０ｃが最も突出した形状となっている。したがって、短側壁１２は、短側係合部材３０の上部平面３０ｃで底壁１１の内面側に当接することになる。短側係合部材３０の上部平面３０ｃが、折り畳み時に底壁に当接する第１当接部として作用する。
【００４５】
長側壁部１３ａには、長側部材４０の長側係合部材５０及び上縁フレーム６０が取り付けられるとともに、長側係合部材５０の固定壁部５１の内面５１ａと上縁フレーム６０の内面６０ａは、面一となっている。また、長側係合部材５０の固定壁部５１の内面５１ａは、凹凸形状のない平面として形成されているとともに、上縁フレーム６０の内面６０ａは、凹凸形状のない平面として形成されている。さらに、長側係合部材５０の固定壁部５１の内面５１ａから突出形成される係合壁部５２は、コンテナ１０折り畳み時には、底壁１１の両端縁外側に収容可能となっている。したがって、長側壁１３を内方へ折り畳んだときには、長側壁１３を構成する部材のうち、上縁フレーム６０の内面６０ａが短側係合部材３０の外面３０ｂに当接可能となっている。
【００４６】
ここで、短側係合部材３０の外面３０ｂの上縁には、幅方向に沿って上縁リブ３８が設けられている。短側係合部材３０の外面３０ｂのうち長側壁１３の上縁フレーム６０の内面６０ａは、短側係合部材３０の外面３０ｂの中央部に当接する。この部分においては、上縁リブ３８が最も突出している。したがって、長側部材４０の上縁フレーム６０の内面６０ａが、短側係合部材３０の外面３０ｂの上縁リブ３８に当接することになる。これにより、長側部材４０の上縁フレーム６０の内面６０ａが、折り畳み時に第１側壁に当接する第２当接部として作用する。より具体的には、上縁フレーム６０の内面６０ａが、第１側壁としての短側壁１２の短側係合部材３０の上縁リブ３８に当接することにより第２当接部として作用する。
【００４７】
図１０に示すように、短側壁１２と長側壁１３の上縁とが交わる井桁状交点Ｐにおいては、短側壁１２の短側係合部材３０の内面３０ａの上部平面３０ｃが、第１当接部として底壁１１に内面側に当接するとともに、長側壁１３の上縁フレーム６０の内面６０ａが、第２当接部として短側係合部材３０の外面３０ｂの上縁リブ３８に当接することになる。つまり、上記４つの井桁状交点Ｐでは、第１当接部としての上部平面３０ｃが底壁１１に当接するとともに、第２当接部としての上縁フレーム６０の内面６０ａが短側壁１２に当接することにより、底壁１１、短側壁１２、及び長側壁１３間の隙間が存在しない状態となっている。
【００４８】
また、図１に示すように、短側係合部材３０の外面３０ｂの上縁リブ３８より突出形成された側縁リブ３５は、長側壁部１３ａの内面に当接する。側縁リブ３５が短側係合部材３０の側部に形成されていることから、長側壁部１３ａの切込部１３ｂ近傍に当接することになる。
【００４９】
次に、本実施形態のコンテナ１０の効果について記載する。
（１）短側壁１２を内方に折り畳んだ後、長側壁１３を内方に折り畳んだときに交わる短側壁１２の短側係合部材３０の上縁と長側壁１３の上縁フレーム６０との交点Ｐでは、底壁１１、短側壁１２、及び長側壁１３が隙間なく当接している。
【００５０】
上記構成によれば、折り畳まれたコンテナ１０の上方から荷重が加えられたとしても、複数の交点Ｐにおいて側壁の撓みが抑制される。これにより、各側壁の変形を抑制することができるため、コンテナの組立時或いは折り畳み時に支障を来すことを抑制することができる。
【００５１】
（２）第１当接部及び第２当接部は、短側壁１２と長側壁１３との交点Ｐとして複数存在する。したがって、複数の交点Ｐにおいて荷重を分散させることができ、１つの当接部に過度の荷重が加えられることを抑制することができる。
【００５２】
（３）短側壁１２の短側係合部材３０の上縁と長側壁１３の上縁フレーム６０とは、井桁状に重なり、それぞれの交点Ｐは、折り畳まれたコンテナ１０において点対称の位置に存在する。したがって、コンテナ１０に加えられた荷重を均等に分散させることができ、各側壁の撓み、変形をより好適に抑制することができる。
【００５３】
（４）短側係合部材３０に形成された側縁リブ３５が、長側壁部１３ａの内面における切込部１３ｂ近傍に当接することから、切込部１３ｂ近傍での長側壁１３の撓み、変形を抑制することができる。
【００５４】
なお、本実施形態は、次のように変更して具体化することも可能である。また、次の変更例を互いに組み合わせ、その組み合わせ構成にように上記実施形態を変更することも可能である。
【００５５】
・  本実施形態では、短側壁部１２ａの上縁に沿って取り付けられた短側係合部材３０の上部に位置する上部平面３０ｃを第１当接部とするとともに、長側壁部１３ａの上縁に沿って取り付けられた長側部材４０の上縁フレーム６０を第２当接部とした。しかし、第１当接部、第２当接部は、それぞれの部材の上縁に設けなくてもよい。第１当接部を短側係合部材３０の中央部或いは下部に設けて、上縁フレームの第２当接部と重なるようにしてもよく、或いは、第２当接部を長側係合部材５０に設けて、短側係合部材３０の下部に設けた第１当接部と重なるようにしてもよい。コンテナ１０の折り畳み時に、第１当接部の上方に第２当接部が位置するものであれば、その形成位置は特に限定されない。
【００５６】
・  第１当接部及び第２当接部は、それぞれの側壁１２、１３の井桁状の交点Ｐのみならず、他の部位に設けてもよい。底壁１１、短側壁１２、及び長側壁１３との間に隙間が形成されない部分が、各側壁の上縁の井桁状の４交点Ｐ以外に複数存在すると、各側壁の撓みをより好適に抑制することができる。
【００５７】
・  本実施形態では、底壁１１、短側壁１２、及び長側壁１３を合成樹脂製の中空板材で構成したが、これに限定されない。射出成形或いはブロー成形等によって成形することも可能である。
【００５８】
・  各側壁の長短は特に限定されるものではない。例えば、長側壁１３を第１側壁とし、短側壁１２を第２側壁としてもよい。
・  本体部１０ａを構成する中空板材は、コア層２１及びスキン層２２、２３とから構成されるものに限定されない。例えば、断面がハーモニカ状等の押出し製品からなる中空板材であってもよい。
【００５９】
・  短側係合部材３０と長側係合部材５０との係合構成は特に限定されるものではなく、箱状に組み立てた際に隣接する側壁同士が連結される構成であればよい。
次に、上記実施形態及び別例から把握できる技術的思想について記載する。
【００６０】
（イ）  前記第１当接部は、前記第１側壁の上縁に設けられるとともに、前記第２当接部は、前記第２側壁の上縁に設けられることを特徴とする折り畳みコンテナ。
（ロ）  前記第１当接部は、前記第１側壁部の上縁以外にも複数設けられ、前記第２当接部は、前記第２側壁部の上縁以外にも複数設けられ、前記複数の第２当接部は、それぞれ前記第１当接部の上方に位置していることを特徴とする折り畳みコンテナ。
【００６１】
（ハ）  前記第１側壁の側部には、折り畳み時に、前記第２側壁の内面における切込部の近傍に当接して、該第２側壁を支持する当接部が設けられていることを特徴とする折り畳みコンテナ。
【符号の説明】
【００６２】
１０…コンテナ、１１…底壁、１２…短側壁（第１側壁）、１２ａ…短側壁部（第１側壁部）、１３…長側壁（第２側壁）、１３ａ…長側壁部（第２側壁部）、１２ｂ、１３ｂ…切込部、３０…短側係合部材（第１係合部材）、３０ｃ…上部平面（第１当接部）、４０…長側部材（第２係合部材）、５０…長側係合部材、６０…上縁フレーム、６０ａ…内面（第２当接部）
【図１】
2015034028.tif 000003
【図２】
2015034028.tif 000004
【図３】
2015034028.tif 000005
【図４】
2015034028.tif 000006
【図５】
2015034028.tif 000007
【図６】
2015034028.tif 000008
【図７】
2015034028.tif 000009
【図８】
2015034028.tif 000010
【図９】
2015034028.tif 000011
【図１０】
2015034028.tif 000012